(57)【特許請求の範囲】
【請求項１】
液保持性の吸収性コアを備え、着用者の腹側に配される腹側部及び背側に配される背側部とそれらの間に位置する股下部とを有すると共に、該腹側部から該股下部を介して該背側部に延びる縦方向とこれに直交する横方向とを有する吸収性物品であって、
前記吸収性コアは、上層吸収性コアと該上層吸収性コアの非肌対向面側に配される下層吸収性コアとからなる二層構造を含んで構成され、
前記下層吸収性コアの横方向中央部に、該下層吸収性コアを厚み方向に貫通する細幅の中央開口部が縦方向に延びるように形成されていると共に、該中央開口部の横方向の両外方に、該下層吸収性コアを厚み方向に貫通する一対の細幅の側方開口部が、縦方向に延び且つ該中央開口部を基準として対称に形成されており、
平面視において前記上層吸収性コアと前記中央開口部とが重なっていると共に、該中央開口部が該上層吸収性コアの縦方向の全長に亘って延びており、
前記上層吸収性コアには、平面視において前記下層吸収性コアの前記中央開口部と重なる領域に、該上層吸収性コアを厚み方向に貫通し縦方向に延びる開口部は形成されておらず、
前記吸収性コアの縦方向に沿う左右両側部の肌対向面側に、着用時に着用者の肌側に向かって起立する一対の立体ギャザーが設けられており、該立体ギャザーは、該吸収性コアの肌対向面側に基端部を有し着用者の肌側に自由端をなすように起立し、該自由端に立体ギャザー形成用弾性部材が縦方向に伸長状態で配されており、
前記吸収性物品の展開且つ伸長状態における平面視において、前記立体ギャザー形成用弾性部材と前記吸収性コアとが重なっている吸収性物品。
【請求項２】
平面視において前記上層吸収性コアと前記側方開口部とが重なっていない請求項１に記載の吸収性物品。
【請求項３】
前記中央開口部は前記側方開口部よりも縦方向の長さが長い請求項１又は２に記載の吸収性物品。
【請求項４】
前記下層吸収性コアの横方向一方側及び他方側それぞれにおいて、該下層吸収性コアの縦方向に沿う側縁と前記側方開口部との離間距離よりも、該側方開口部と前記中央開口部との離間距離の方が長い請求項１〜３の何れか一項に記載の吸収性物品。
【請求項５】
前記下層吸収性コアは、縦方向中央部が縦方向前後端部それぞれよりも横方向の長さが短い請求項１〜４の何れか一項に記載の吸収性物品。
【請求項６】
前記吸収性コアは、該吸収性コアの縦方向前後端それぞれから縦方向内方に向かって切れ込んだ一対の切り欠き部を有し、
前記切り欠き部は、縦方向内方に向かうに従って横方向の長さが減少し、平面視において、該切り欠き部の頂部が前記中央開口部の延長線上に位置している請求項１〜５の何れか一項に記載の吸収性物品。
【請求項７】
前記下層吸収性コアは、縦方向前端部、中央部及び後端部それぞれに、該下層吸収性コアの両側縁が縦方向と平行に延びる幅一定領域を有していると共に、該縦方向中央部の幅一定領域と該縦方向前後端部の幅一定領域それぞれとの間に、該下層吸収性コアの両側縁が縦方向及び横方向の両方向と交差する方向に延びる幅変化領域を有しており、
前記側方開口部は、内側縁よりも外側縁の方が縦方向の長さが長く、
前記下層吸収性コアの横方向一方側及び他方側それぞれにおいて、前記側方開口部の縦方向前後端は、それぞれ、前記幅変化領域における該下層吸収性コアの側縁の延長線上に位置している請求項１〜６の何れか一項に記載の吸収性物品。
【請求項８】
前記吸収性物品の展開且つ伸長状態における平面視において、前記立体ギャザー形成用弾性部材は、前記吸収性コアの縦方向中央部の幅一定領域における側縁よりも横方向外方、且つ、該吸収性コアの縦方向前後端部の幅一定領域のうち、より横方向の長さが長い方における側縁よりも横方向内方に位置している請求項７に記載の吸収性物品。
【発明の詳細な説明】
【技術分野】
【０００１】
本発明は、使い捨ておむつ等の吸収性物品に関する。
【背景技術】
【０００２】
使い捨ておむつ等の吸収性物品として、液保持性の吸収性コアを備え、着用者の腹側に配される腹側部及び背側に配される背側部とそれらの間に位置する股下部とを有すると共に、該腹側部から該股下部を介して該背側部に延びる縦方向とこれに直交する横方向とを有する吸収性物品が知られている。また、吸収性物品の吸収体としては、解繊パルプ等の繊維材料からなる繊維集合体やこれに吸水性ポリマー等の機能性材料を保持させたもの等からなる吸収性コアを、紙や不織布等からなるコアラップシートで被覆したものが汎用されている。また、吸収体の変形性を高めてフィット性や漏れ防止性を高めるために、吸収性コアに、吸収性コア形成材料が存在しない開口部を設ける技術が種々提案されている。例えば特許文献１には、単層構造の吸収性コアを具備する使い捨ておむつにおいて、該吸収性コアの横方向中央部に、縦方向に延びる中央開口部を形成すると共に、該中央開口部の横方向の両外方に、縦方向に延びる側方開口部を形成することが記載されている。特許文献１によれば、吸収性コアに形成されたこれら複数の開口部によって、使い捨ておむつが着用された際に、吸収性コアが横方向に沿う断面視においてＷ字状に変形し、フィット性が向上するとされている。
【０００３】
また特許文献２及び３には、上層及び下層からなる二層構造の吸収性コアを具備する使い捨ておむつにおいて、該吸収性コアに複数の前記開口部を形成することが記載されている。特許文献２記載の使い捨ておむつにおいては、おむつの横方向中央部に吸収性コアの二層構造部分（高坪量部）が配され、該二層構造部分全体を厚み方向に貫通する中央開口部（中央折曲誘導部）が縦方向に延びるように形成されていると共に、該中央開口部の横方向の両外方における下層のみからなる単層構造部分（低坪量部）に、側方開口部（側部折曲誘導部）が縦方向に延びるように形成されている。一方、特許文献３記載の使い捨ておむつにおいては、特許文献２記載の使い捨ておむつと同様に、吸収性コアに中央開口部と側方開口部とが形成されているところ、特許文献２では、中央開口部が下層のみならず上層にも形成されているのに対し、特許文献３では、中央開口部は下層のみに形成され上層には形成されていない。また、特許文献３記載の使い捨ておむつにおいては、中央開口部は上層よりも縦方向の長さが短く、中央開口部は上層の縦方向の全長に亘って延びていない。
【先行技術文献】
【特許文献】
【０００４】
【特許文献１】特開２０１１−１７７３１０号公報
【特許文献２】特開２０１２−１６４３５号公報
【特許文献３】特開２０１３−１３５２４号公報
【発明の概要】
【発明が解決しようとする課題】
【０００５】
特許文献１〜３記載の使い捨ておむつは、吸収性コアに形成された複数の開口部にて屈曲可能に構成されているため、着用中に着用者の両大腿部によって横方向内方に圧縮されるとおむつ全体が変形し、それによって高い着用感及び漏れ防止性を発現し得る。しかし、特許文献１〜３記載の使い捨ておむつは、吸収性コアの変形のしやすさ及び変形後の形状維持の点で改良の余地があった。
【０００６】
従って本発明は、着用感及び漏れ防止性に優れる吸収性物品に関する。
【課題を解決するための手段】
【０００７】
本発明は、液保持性の吸収性コアを備え、着用者の腹側に配される腹側部及び背側に配される背側部とそれらの間に位置する股下部とを有すると共に、該腹側部から該股下部を介して該背側部に延びる縦方向とこれに直交する横方向とを有する吸収性物品であって、
前記吸収性コアは、上層吸収性コアと該上層吸収性コアの非肌対向面側に配される下層吸収性コアとからなる二層構造を含んで構成され、
前記下層吸収性コアの横方向中央部に、該下層吸収性コアを厚み方向に貫通する細幅の中央開口部が縦方向に延びるように形成されていると共に、該中央開口部の横方向の両外方に、該下層吸収性コアを厚み方向に貫通する一対の細幅の側方開口部が、縦方向に延び且つ該中央開口部を基準として対称に形成されており、
平面視において前記上層吸収性コアと前記中央開口部とが重なっていると共に、該中央開口部が該上層吸収性コアの縦方向の全長に亘って延びており、
前記上層吸収性コアには、平面視において前記下層吸収性コアの前記中央開口部と重なる領域に、該上層吸収性コアを厚み方向に貫通し縦方向に延びる開口部は形成されておらず、
前記吸収性コアの縦方向に沿う左右両側部の肌対向面側に、着用時に着用者の肌側に向かって起立する一対の立体ギャザーが設けられており、該立体ギャザーは、該吸収性コアの肌対向面側に基端部を有し着用者の肌側に自由端をなすように起立し、該自由端に立体ギャザー形成用弾性部材が縦方向に伸長状態で配されており、
前記吸収性物品の展開且つ伸長状態における平面視において、前記立体ギャザー形成用弾性部材と前記吸収性コアとが重なっている吸収性物品を提供するものである。
【発明の効果】
【０００８】
本発明によれば、着用感及び漏れ防止性に優れる吸収性物品が提供される。
【図面の簡単な説明】
【０００９】
【図１】図１は、本発明の吸収性物品の一実施形態であるパンツ型使い捨ておむつを模式的に示す斜視図である。
【図２】図２は、図１に示すおむつの展開且つ伸長状態における肌対向面側（内面側）を模式的に示す展開平面図である。
【図３】図３は、図１に示すおむつの展開且つ伸長状態における非肌対向面側（外面側）を模式的に示す展開平面図である。
【図４】図４は、図２のＩ−Ｉ線断面を模式的に示す横断面図である。
【図５】図５は、図１に示すおむつを分解して模式的に示す分解斜視図である。
【図６】図６は、図１に示すおむつの外装体を構成する伸縮性の外層シートの一部（腹側外層シート）の一例を模式的に示す一部破断斜視図である。
【図７】図７は、図１に示すおむつの吸収性コアの肌対向面側を拡大して模式的に示す拡大平面図である。
【図８】図８は、図１に示すおむつの着用状態における吸収性本体の様子を模式的に示す横断面図である。
【図９】図９（ａ）及び図９（ｂ）は、それぞれ、比較例で用いた吸収性コアの肌対向面側を模式的に示す平面図である。
【発明を実施するための形態】
【００１０】
以下本発明を、その好ましい実施形態に基づき図面を参照しながら説明する。図１〜図５には、本発明の吸収性物品の一実施形態であるパンツ型使い捨ておむつ１が記載されている。おむつ１は、排泄された尿等の体液を吸収保持する液保持性の吸収性コア２３を備え、着用者の腹側に配される腹側部１Ａ、背側に配される背側部１Ｃ、及びそれらの間に位置して着用者股間部に配される股下部１Ｂを有していると共に、縦方向Ｘとこれに直交する横方向Ｙとを有している。おむつ１の縦方向Ｘは、腹側部１Ａと背側部１Ｃとの間を股下部１Ｂを介して延びる方向である。
【００１１】
さらに説明すると、おむつ１は、吸収性コア２３を具備する吸収性本体２と、該吸収性本体２の非肌対向面側に配されて該吸収性本体２を固定している外装体３とを備え、前身頃Ｆ及び後身頃Ｒそれぞれにおける該外装体３の縦方向Ｘに沿う両側縁部ＦＳ，ＲＳどうしが接合されて、一対のサイドシール部Ｓ，Ｓ、並びに着用者の胴が通されるウエスト開口部ＷＨ、及び着用者の下肢が通される一対のレッグ開口部ＬＨ，ＬＨが形成されている。
【００１２】
図２及び図３に示すように、前身頃Ｆは、おむつ１を縦方向Ｘに二分するように横方向Ｙに延びる縦中心線（図示せず）を基準として、着用時に着用者の身体の前側（腹側）を覆う部分であり、後身頃Ｒは、着用者の身体の後側（背側）を覆う部分である。また本明細書において、肌対向面は、おむつ１及びその構成部材（例えば吸収性本体２）における、着用状態において着用者の肌側に向けられる面（着用者の肌に近い側）であり、非肌対向面は、おむつ１及びその構成部材における、着用状態において着用者の肌側とは反対側に向けられる面（相対的に肌対向面よりも肌から遠い側）である。
【００１３】
おむつ１は、着用状態において着用者の腹側に配される腹側部１Ａ、背側に配される背側部１Ｃ、及びそれらの間に位置して着用者股間部に配される股下部１Ｂを有している。おむつ１の縦方向Ｘは、前身頃Ｆと後身頃Ｒとの間を延びる方向、即ち、腹側部１Ａと背側部１Ｃとの間を股下部１Ｂを介して延びる方向であり、吸収性本体２の長手方向に一致する。腹側部１Ａは前身頃Ｆの一部であり、背側部１Ｃは後身頃Ｒの一部であり、股下部１Ｂは前身頃Ｆと後身頃Ｒとに跨って存している。腹側部１Ａ及び背側部１Ｃは、何れも縦方向Ｘにおいてサイドシール部Ｓと同位置にある部分であり、おむつ１の着用時に着用者の胴回りに配される胴回り部である。股下部１Ｂは、外装体３の縦方向Ｘに沿う両側縁部にレッグ開口部ＬＨ，ＬＨ形成用の凹欠部（レッグ縁部ＬＳ，ＬＳ）が形成されている領域である。股下部１Ｂは、おむつ１の着用時に着用者の排泄部に対向配置される排泄部対向部を有しており、該排泄部対向部は通常、おむつ１の縦方向Ｘの中央部（おむつ１の前記縦中心線上）又はその近傍に位置している。
【００１４】
吸収性本体２は、図２及び図３に輪郭線で示したように平面視矩形形状を有しており、その長手方向を展開且つ伸長状態におけるおむつ１の縦方向Ｘに一致させて、外装体３の横方向Ｙの中央部に配置され、接着剤により外装体３に接合されている。外装体３は、図２及び図３に示す如きおむつ１の展開且つ伸長状態のおむつ１の外形を形作っており、外装体３の周縁は、その状態のおむつ１の輪郭線を形成している。おむつ１の「展開且つ伸長状態」とは、おむつ１をサイドシール部Ｓで切り離して展開状態とし、その展開状態のおむつ１を各部の弾性部材を伸長させて設計寸法（弾性部材の影響を一切排除した状態で平面状に広げたときの寸法と同じ）となるまで拡げた状態をいう。
【００１５】
吸収性本体２は、図４に示すように、肌対向面を形成する液透過性の表面シート２１、非肌対向面を形成する液不透過性若しくは液難透過性又は撥水性の裏面シート２２、及び両シート２１，２２間に介在配置された液保持性の吸収性コア２３（上層吸収性コア２３０及び下層吸収性コア２３１）を有しており、これらが接着剤等の公知の接合手段により一体化されて構成されている。吸収性コア２３は、おむつ１（外装体３）の横方向Ｙの中央部に位置している。吸収性コア２３の表面は、コアラップシート２３２によって被覆されている。コアラップシート２３２は、ティッシュペーパー等の紙、各種不織布、開孔フィルム等の液透過性シートからなり、上層吸収性コア２３０及び下層吸収性コア２３１を一体的に被覆している。表面シート２１、裏面シート２２及び吸収性コア２３としては、それぞれ、この種の吸収性物品に従来用いられている各種のものを特に制限なく用いることができる。例えば、表面シート２１としては各種の不織布や開孔フィルム等を用いることができ、裏面シート２２としては樹脂フィルムや、樹脂フィルムと不織布等とのラミネート等を用いることができる。吸収性コア２３（上層吸収性コア２３０及び下層吸収性コア２３１）の形成材料としては、例えば、吸水性ポリマー粒子及びパルプ繊維等の繊維材料の１種以上を用いることができる。
【００１６】
図２及び図４に示すように、吸収性コア２３の縦方向Ｘに沿う左右両側部の肌対向面側には、着用時に着用者の肌側に向かって起立する一対の立体ギャザー２４，２４が設けられている。各立体ギャザー２４は、吸収性コア２３の肌対向面側に基端部２７を有し着用者の肌側に自由端２８をなすように起立し、該自由端２８に１本又は複数本（本実施形態では複数本）の立体ギャザー形成用弾性部材２６が縦方向Ｘに伸長状態で配されている。本実施形態においては、一対の立体ギャザー２４，２４は、吸収性本体２の縦方向Ｘの全長に亘って直線状に延びており、おむつ１の着用時には、少なくとも股下部１Ｂにおいて、着用者の肌側に向かって起立する。立体ギャザー２４の基端部２７は、図２に示す如き平面視において吸収性本体２の縦方向Ｘの全長に亘って直線状に延びており、吸収性コア２３の肌対向面上に位置している。尚、図４は、吸収性コア２３の括れ部（縦方向Ｘの中央部）における横断面を示しているところ、図４では、立体ギャザー２４の基端部２７は、その括れ部近傍の空間部上に位置していて、吸収性コア形成材料が存する部分（下層吸収性コア２３１）上には位置していないが、括れ部を有していない吸収性コア２３の縦方向Ｘの前後端部においては、基端部２７は下層吸収性コア２３１上に位置しており、基端部２７全体として吸収性コア２３の肌対向面上に位置している。
【００１７】
図２に示す如きおむつ１の展開且つ伸長状態における平面視において、立体ギャザー形成用弾性部材２６と吸収性コア２３とは重なっている。即ち、弾性部材２６（弾性部材２６が複数本ある場合は少なくとも１本の弾性部材２６）は、吸収性コア２３の肌対向面の少なくとも一部を縦方向に縦断している。
【００１８】
立体ギャザー２４は、図４に示すように、液抵抗性ないし撥水性の立体ギャザー形成用シート材２５と、シート材２５に固定された立体ギャザー形成用弾性部材２６とを含んで構成されている。シート材２５は、１枚の帯状シートから形成されており、シート材２５の横方向Ｙの一端部は、吸収性コア２３（コアラップシート２３２）と裏面シート２２との間に配され接着剤によって固定されて固定端を形成し、シート材２５の横方向Ｙの他端部は、吸収性コア２３の肌対向面を被覆する表面シート２１の上方において、縦方向Ｘに延びる折曲線（図示せず）にて横方向Ｙの内方側に折り返されて自由端２８を形成し、その折り返しによって相対向したシート間に、糸状又は帯状の弾性部材２６が縦方向Ｘに伸長した状態で接着剤を介して固定されて、立体ギャザー２４が形成されている。立体ギャザー２４は、伸長状態で配された弾性部材２６がおむつ１の着用状態において収縮することによって起立し、液の側方への流出を阻止する。立体ギャザー形成用シート材２５としては、伸縮性のフィルム、不織布、織物又はそれらの積層シート等を用いることができる。
【００１９】
外装体３は、図２及び図３に示すように、その縦方向Ｘに沿う両側縁が股下部１Ｂにおいて内向きの円弧状に湾曲して一対のレッグ縁部ＬＳ，ＬＳを形成しており、図２及び図３に示す如き平面視において、縦方向Ｘの中央域が横方向Ｙの内方に向けて括れた砂時計状の形状を有している。股下部１Ｂには、外装体３において横方向Ｙの長さが最も短い部位が存している。外装体３は、前身頃Ｆ（腹側部１Ａ）における縦方向Ｘに沿う両側縁部ＦＳ，ＦＳと後身頃Ｒ（背側部１Ｃ）における縦方向Ｘに沿う両側縁部ＲＳ，ＲＳとが、接着剤、ヒートシール、超音波シール等の公知の接合手段によって互いに接合されており、その接合によって、図１に示すように、おむつ１に一対のサイドシール部Ｓ，Ｓが形成され、さらにウエスト開口部ＷＨ及び一対のレッグ開口部ＬＨ，ＬＨが形成されている。
【００２０】
外装体３は、図４及び図５に示すように、外層シート３１と内層シート３２との積層体を含んで構成されている。おむつ１の着用状態において、外層シート３１は着用者の身体から遠い側に位置して、おむつ１の非肌対向面（外面）を形成し、内層シート３２は、着用者の身体に近い側に位置して、おむつ１の肌対向面（内面）を形成する。外層シート３１と内層シート３２との間は、所定の部位において接着剤によって接合されている。
【００２１】
本実施形態においては、図５に示すように、内層シート３２は１枚の連続したシートから構成されているのに対し、外層シート３１は複数枚のシートが組み合わされて構成されており、腹側部１Ａを構成する腹側外層シート３１Ａと、背側部１Ｃを構成する背側外層シート３１Ｃと、両シート３１Ａ，３１Ｃ間に位置して股下部１Ｂを構成する股下外層シート３１Ｂとを含んで構成されている。外層シート３１を構成する各シート３１Ａ，３１Ｂ，３１Ｃは、それらの縦方向Ｘの端部どうしが重ね合わされ、その重ね合わせ部分において接着剤、ヒートシール、高周波シール、超音波シール等の公知の接合手段によって互いに接合され一体化されている。シート３１Ａ，３１Ｃとシート３１Ｂとの重ね合わせ部分においては、それぞれ、縦方向Ｘの中央に位置するシート３１Ｂが吸収性本体２から相対的に近い側に位置し、シート３１Ｂの縦方向Ｘの両端部の非肌対向面はシート３１Ａ，３１Ｃで被覆されている。
【００２２】
図２及び図５に示すように、腹側外層シート３１Ａは、内層シート３２の腹側部１Ａ側の縦方向Ｘの端部から外方に延出する腹側延出部３１ＡＥを有し、また、背側外層シート３１Ｃは、内層シート３２の背側部１Ｃ側の縦方向Ｘの端部から外方に延出する背側延出部３１ＣＥを有しており、両延出部３１ＡＥ，３１ＣＥは、それぞれ、内層シート３２上に配置固定された吸収性本体２の縦方向Ｘの両端部を覆うように、内層シート３２側に折り返され、接着剤によって、両延出部３１ＡＥ，３１ＣＥと対向するおむつ１の他の構成部材（内層シート３２、吸収性本体２、立体ギャザー２４）に固定されている。
【００２３】
本実施形態においては、外層シート３１を構成する腹側外層シート３１Ａ及び背側外層シート３１Ｃは横方向Ｙに伸縮性を有しているのに対し、外層シート３１の残りの部分（股下外層シート３１Ｂ）及び内層シート３２は伸縮性を有しておらず非伸縮性である。従って、外装体３において、シート３１Ａ，３１Ｃを含む領域は横方向Ｙに伸縮性を有し、シート３１Ａ，３１Ｃを含まない領域は横方向Ｙに伸縮性を有していない。本実施形態においては、前身頃Ｆの胴回り部である腹側部１Ａは腹側外層シート３１Ａを含み、後身頃Ｒの胴回り部である背側部１Ｃは背側外層シート３１Ｃを含むから、腹側部１Ａ及び背側部１Ｃ共に、横方向Ｙに伸縮性を有している。また本実施形態においては、腹側外層シート３１Ａが、腹側部１Ａと股下部１Ｂとの境界、即ち、前身頃Ｆにおける一対のサイドシール部Ｓ，Ｓそれぞれの下端（縦方向Ｘの内方側の端部）を通って横方向Ｙに延びる仮想直線を越えて股下部１Ｂに延出し、背側外層シート３Ｃが、背側部１Ｃと股下部１Ｂとの境界、即ち、後身頃Ｒにおける一対のサイドシール部Ｓ，Ｓそれぞれの下端（縦方向Ｘの内方側の端部）を通って横方向Ｙに延びる仮想直線を越えて股下部１Ｂに延出しているので、股下部１Ｂにおける両シート３１Ａ，３１Ｃのこれら延出部を含む部分、即ち、股下部１Ｂにおける腹側部１Ａ及び背側部１Ｃ寄りの部分も、それぞれ横方向Ｙに伸縮性を有している。一方、股下部１Ｂにおける腹側部１Ａ及び背側部１Ｃ寄り以外の部分（股下部１Ｂの縦方向Ｘの中央部）は横方向Ｙに伸縮性を有していない。
【００２４】
腹側外層シート３１Ａ及び背側外層シート３１Ｃは、少なくとも横方向Ｙに伸縮性を有している。図６には、伸縮性の腹側外層シート３１Ａの一例が示されている。図６に示す腹側外層シート３１Ａは、非弾性繊維を主体とする伸長可能な繊維層の一面に糸状の弾性フィラメントが接合した構成を有するもので、該繊維層としての２枚の繊維シート４１，４２と、両シート４１，４２間に介在配置された該弾性フィラメントとしての弾性部材４３とを含んで構成されている。斯かる構成を有する伸縮性の背側外層シート３１Ａは、例えば、特開２００９−６１７４３号公報に記載の方法に従って製造することができる。伸縮性の背側外層シート３１Ｃも図６に示す伸縮性の腹側外層シート３１Ａと同様に構成することができる。
【００２５】
腹側外層シート３１Ａを構成する２枚のシート４１，４２は、何れも伸長可能なものである。シート４１，４２は、弾性部材４３の延びる方向（横方向Ｙ）と同方向に伸長可能になっている。伸長可能とは、（イ）シート４１，４２の構成繊維自体が伸長する場合と、（ロ）構成繊維自体は伸長しなくても、交点において結合していた繊維どうしが離れたり、繊維どうしの結合等により複数本の繊維で形成された立体構造が構造的に変化したり、構成繊維がちぎれたりして、シート４１，４２全体として伸長する場合とを包含する。
【００２６】
腹側外層シート３１Ａを構成する弾性部材４３は、弾性樹脂が溶融又は軟化した状態で延伸されて形成された弾性フィラメントである。複数の弾性部材４３は、それぞれ、シート３１Ａの全長（外装体３の横方向Ｙの全長）に亘って実質的に連続している。複数の弾性部材４３は、互いに交差せずに一方向（横方向Ｘ）に延びるように配列している。弾性部材４３は、実質的に非伸長状態で２枚のシート４１，４２に接合されている。シート３１Ａにおける弾性部材４３のシート４１，４２との接合は、シート４１，４２を構成する繊維（非弾性繊維）が弾性部材４３中に埋没した状態で該弾性部材４３に融着することによりなされたものであり、ホットメルト型接着剤等の接着剤を用いてなされたものではない。従って、シート４１，４２（非弾性繊維を主体とする伸長可能な繊維層）とこれに接合されている弾性部材４３との間には接着剤が存在しない。
【００２７】
腹側外層シート３１Ａは、弾性部材４３の延びる方向（横方向Ｙ）と同方向に伸縮可能になっている。シート３１Ａの伸縮性は、弾性部材４３の弾性に起因して発現する。シート３１Ａを弾性部材４３の延びる方向と同方向に引き伸ばすと、弾性部材４３及びシート４１，４２が伸長する。そしてシート３１Ａの引き伸ばしを解除すると、弾性部材４３が収縮し、その収縮に連れてシート４１，４２が引き伸ばし前の状態に復帰する。また、シート３１Ａにおいては、弾性部材４３と直交した状態で結合している他の弾性部材は存在していないので、シート３１Ａを、弾性部材４３の延びる方向（横方向Ｙ）と同方向に引き伸ばしたときには、該シート３１Ａが横方向Ｙに縮む、いわゆる幅縮みをほとんど起こさずに伸長する。
【００２８】
腹側外層シート３１Ａを構成する２枚のシート４１，４２は、それぞれ、短繊維の不織布であり得る。不織布としては、エアスルー不織布、ヒートロール不織布、スパンレース不織布、スパンボンド不織布、メルトブローン不織布等が挙げられる。シート４１とシート４２とは、同種のものでも良く、あるいは異種のものでも良い。ここで言う、「同種のシート」とは、シートの製造プロセス、シートの構成繊維の種類、構成繊維の繊維径や長さ、シートの厚みや坪量等がすべて同じであるシートどうしを意味する。これらのうちの少なくとも一つが異なる場合には、「異種のシート」である。
【００２９】
腹側外層シート３１Ａを構成する弾性部材４３（弾性フィラメント）は、例えば熱可塑性エラストマーやゴム等を原料とするものである。特に熱可塑性エラストマーを原料として用いると、通常の熱可塑性樹脂と同様に押出機を用いた溶融紡糸が可能であり、またそのようにして得られた弾性フィラメントは熱融着させやすいので、シート３１Ａに好適である。熱可塑性エラストマーとしては、例えば、ＳＢＳ（スチレン−ブタジエン−スチレン）、ＳＩＳ（スチレン−イソプレン−スチレン）、ＳＥＢＳ（スチレン−エチレン−ブタジエン−スチレン）、ＳＥＰＳ（スチレン−エチレン−プロピレン−スチレン）等のスチレン系エラストマー、オレフィン系エラストマー（エチレン系のα−オレフィンエラストマー、エチレン・ブテン・オクテン等を共重合したプロピレン系エラストマー）、ポリエステル系エラストマー、ポリウレタン系エラストマー等が挙げられ、これらの１種を単独で又は２種以上を組み合わせて用いることができる。また、これらの樹脂からなる芯鞘型又はサイド・バイ・サイド型の複合繊維を用いることもできる。
【００３０】
このように、腹側外層シート３１Ａ及び背側外層シート３１Ｃは伸縮性を有しているのに対し、股下外層シート３１Ｂ及び内層シート３２は伸縮性を有しておらず非伸縮性である。非伸縮性のシート３１Ｂ，３２は、縦方向Ｘ又は横方向Ｙにおいて伸縮性を有しないことが好ましく、両方向Ｘ，Ｙの何れにも伸縮性を有しないことが好ましい。外装体３において、一部（腹側部１Ａ及び背側部１Ｃ）のみが伸縮性を有する外層シート３１と全体が非伸縮性の内層シート３２とは、外層シート３１の伸縮性を有する部分（腹側外層シート３１Ａ及び背側外層シート３１Ｃ）の伸長状態下に、相対向する面で接合されており、そのため、外装体３全体としては、腹側外層シート３１Ａ及び背側外層シート３１Ｃが配されている腹側部Ａ及び背側部Ｃ（胴回り部）は、少なくとも両シート３１Ａ，３１Ｃの伸長可能方向（横方向Ｙ）に伸縮性を有し、他の部分（股下部Ｂにおける腹側部１Ａ及び背側部１Ｃ寄り以外の部分。股下部１Ｂの縦方向Ｘの中央部。）は伸縮性を有してない。
【００３１】
シートが、ある方向に実質的に伸縮性を有しないとは、該シートに対して当該ある方向に引っ張る力を加えても、該シートが、殆ど伸びないことを意味する。例えば、長さ１５×幅５ｃｍのサンプルに対して、該サンプルをテンシロン等の材料引っ張り試験機で長手方向に引っ張って、該サンプルが破断するときの破断伸度が１０％以下である場合、そのサンプルは、長手方向に実質的に伸縮性を有しない。尚、破断伸度とは（破断時の該サンプル長さ−該サンプルの元の長さ）／（該サンプルの元の長さ）×１００で算出することができる。
【００３２】
非伸縮性の股下外層シート３１Ｂ及び内層シート３２としては、それぞれ、各種製法による不織布が好ましく用いられ、例えば、スパンボンド不織布、エアスルー不織布、ニードルパンチ不織布等である。非伸縮性のシート３１Ｂ，３２として用いる不織布の構成繊維としては、例えば、ポリエチレン（ＰＥ）、ポリプロピレン（ＰＰ）、ポリエチレンテレフタレート（ＰＥＴ）やポリブチレンテレフタレート（ＰＢＴ）等のポリエステル、ポリアミド等からなる繊維等が挙げられる。非伸縮性のシート３１Ｂ，３２として用いる不織布を構成する繊維は、短繊維でも長繊維でも良く、親水性でも撥水性でも良い。また、芯鞘型又はサイド・バイ・サイド型の複合繊維、分割繊維、異形断面繊維、捲縮繊維、熱収縮繊維等を用いることもできる。これらの繊維は、１種を単独で又は２種以上を組み合わせて用いることができる。
【００３３】
外装体３は、ウエスト開口部ＷＨの開口縁部にウエストギャザーを形成するウエスト弾性部材３３を備えている。即ち、腹側部Ａ及び背側部Ｃそれぞれにおけるウエスト開口部ＷＨの開口縁部には、１本又は複数本（本実施形態では複数本）のウエストギャザー形成用のウエスト弾性部材３３が横方向Ｙの全長に亘って伸長状態で配されており、これによってウエスト開口部ＷＨには、その全周に亘って実質的に連続した環状のウエストギャザーが形成されている。ウエスト弾性部材３３は、糸状又は帯状であり、外装体３を構成する外層シート３１と内層シート３２との間に接着剤により挟持固定されている。
【００３４】
また外装体３は、一対のレッグ開口部ＬＨ，ＬＨそれぞれの開口縁部にレッグギャザーを形成するレッグ弾性部材として、前身頃Ｆに伸長状態で配された１本又は複数本（本実施形態では複数本）の前側レッグ弾性部材３４と、後身頃Ｒに伸長状態で配された１本又は複数本（本実施形態では複数本）の後側レッグ弾性部材３５とを備えている。図２、図３及び図５に示すように、前側レッグ弾性部材３４と後側レッグ弾性部材３５とは縦方向Ｘにおいて互いに離間配置されており、その離間領域は股下部１Ｂに存している。レッグ弾性部材３４，３５は、何れも糸状又は帯状であり、外装体３を構成する外層シート３１と内層シート３２との間に接着剤により挟持固定されている。これによって一対のレッグ開口部ＬＨ，ＬＨそれぞれの開口縁部には、その全周に亘って実質的に連続した環状のレッグギャザーが形成されている。レッグ弾性部材３４，３５は、少なくとも吸収性本体２の縦方向Ｘに沿う両側縁よりも横方向Ｙの外方の部位に弾性伸縮性が発現されるように伸長状態で配されており、且つ吸収性本体２が存在する部位の少なくとも横方向Ｙの中央部には弾性伸縮性が発現される状態では配されていない。
【００３５】
図７には、吸収性コア２３の肌対向面側が拡大して示されている。吸収性コア２３は、上層吸収性コア２３０と該上層吸収性コア２３０の非肌対向面側に配される下層吸収性コア２３１とからなる二層構造を含んで構成されている。上層吸収性コア２３０は、平面視において、縦方向Ｘの前側（腹側部１Ａ寄りの部分）が他の部分よりも幅広の縦長形状をなし、下層吸収性コア２３１よりも縦方向Ｘの長さが短く、且つ下層吸収性コア２３１において横方向Ｙの長さ（幅）が最も短い最幅狭部の該長さよりも横方向Ｙの長さが短い。下層吸収性コア２３１は、縦方向Ｘの中央部が前後端部（縦方向両端部）それぞれよりも横方向Ｙの長さ（幅）が短く、縦方向Ｘの中央部が括れた平面視砂時計状（ダンベル状）をなしており、上層吸収性コア２３０よりも平面視における寸法（面積）が大きい。平面視において上層吸収性コア２３０の全体が下層吸収性コア２３１と重なっており、下層吸収性コア２３１は吸収性コア２３の輪郭を形成している。上層吸収性コア２３０は、下層吸収性コア２３１の肌対向面上において、下層吸収性コア２３１の縦方向Ｘの中央よりもやや腹側部１Ａ寄りに偏倚した位置にある。上層吸収性コア２３０と下層吸収性コア２３１とは、接着剤によって互いに接合されていても良いが、本実施形態においては、両者は互いに接合されておらず、両者は一体不可分ではなく分離可能になされている。
【００３６】
上層吸収性コア２３０の坪量は、好ましくは１５０ｇ／ｃｍ２以上、さらに好ましくは２００ｇ／ｃｍ２以上、そして、好ましくは４００ｇ／ｃｍ２以下、さらに好ましくは３５０ｇ／ｃｍ２以下、より具体的には、好ましくは１５０ｇ／ｃｍ２以上４００ｇ／ｃｍ２以下、さらに好ましくは２００ｇ／ｃｍ２以上３５０ｇ／ｃｍ２以下である。
下層吸収性コア２３１の坪量は、好ましくは１５０ｇ／ｃｍ２以上、さらに好ましくは２００ｇ／ｃｍ２以上、そして、好ましくは４００ｇ／ｃｍ２以下、さらに好ましくは３５０ｇ／ｃｍ２以下、より具体的には、好ましくは１５０ｇ／ｃｍ２以上４００ｇ／ｃｍ２以下、さらに好ましくは２００ｇ／ｃｍ２以上３５０ｇ／ｃｍ２以下である。
【００３７】
上層吸収性コア２３０の形成材料としてパルプが用いられている場合、該パルプの坪量は、好ましくは７５ｇ／ｃｍ２以上、さらに好ましくは１００ｇ／ｃｍ２以上、そして、好ましくは２００ｇ／ｃｍ２以下、さらに好ましくは１７５ｇ／ｃｍ２以下、より具体的には、好ましくは７５〜２００ｇ／ｃｍ２、さらに好ましくは１００〜１７５ｇ／ｃｍ２である。
下層吸収性コア２３１の形成材料としてパルプが用いられている場合、該パルプの坪量は、好ましくは７５ｇ／ｃｍ２以上、さらに好ましくは１００ｇ／ｃｍ２以上、そして、好ましくは２００ｇ／ｃｍ２以下、さらに好ましくは１７５ｇ／ｃｍ２以下、より具体的には、好ましくは７５ｇ／ｃｍ２以上２００ｇ／ｃｍ２以下、さらに好ましくは１００ｇ／ｃｍ２以上１７５ｇ／ｃｍ２以下である。
【００３８】
上層吸収性コア２３０の形成材料として吸水性ポリマーが用いられている場合、該吸水性ポリマーの坪量は、好ましくは７５ｇ／ｃｍ２以上、さらに好ましくは１００ｇ／ｃｍ２以上、そして、好ましくは２００ｇ／ｃｍ２以下、さらに好ましくは１７５ｇ／ｃｍ２以下、より具体的には、好ましくは７５ｇ／ｃｍ２以上２００ｇ／ｃｍ２以下、さらに好ましくは１００ｇ／ｃｍ２以上１７５ｇ／ｃｍ２以下である。
下層吸収性コア２３１の形成材料として吸水性ポリマーが用いられている場合、該吸水性ポリマーの坪量は、好ましくは７５ｇ／ｃｍ２以上、さらに好ましくは１００ｇ／ｃｍ２以上、そして、好ましくは２００ｇ／ｃｍ２以下、さらに好ましくは１７５ｇ／ｃｍ２以下、より具体的には、好ましくは７５ｇ／ｃｍ２以上２００ｇ／ｃｍ２以下、さらに好ましくは１００ｇ／ｃｍ２以上１７５ｇ／ｃｍ２以下である。
【００３９】
図７に示すように、下層吸収性コア２３１は、その両側縁２３１Ｓ，２３１Ｓが縦方向Ｘと平行に直線状に延びる幅一定領域Ｐ１，Ｐ２，Ｐ３を有している。前側幅一定領域Ｐ１は、下層吸収性コア２３１の縦方向Ｘの前端部（腹側部１Ａ側の縦方向端部）に位置し、中央幅一定領域Ｐ２は、下層吸収性コア２３１の縦方向Ｘの中央部（腹側部１Ａ側の縦方向端部）に位置し、後側幅一定領域Ｐ３は、下層吸収性コア２３１の縦方向Ｘの後端部（背側部１Ｃ側の縦方向端部）に位置している。前側幅一定領域Ｐ１は腹側部１Ａに位置し、中央幅一定領域Ｐ２は股下部１Ｂに位置し、後側幅一定領域Ｐ３は背側部１Ｃに位置している。これら３つの幅一定領域Ｐ１，Ｐ２，Ｐ３のうち、縦方向Ｘの長さが最も長いのは、中央幅一定領域Ｐ２であり、また、前側幅一定領域Ｐ１と後側幅一定領域Ｐ３とでは後者の方が縦方向Ｘの長さが長い。
【００４０】
また、下層吸収性コア２３１は、縦方向Ｘの中央部の中央幅一定領域Ｐ２と縦方向Ｘの前後端部の前側幅一定領域Ｐ１及び後側幅一定領域Ｐ３幅一定領域それぞれとの間に、下層吸収性コア２３１の両側縁２３Ｓ，２３Ｓが縦方向Ｘ及び横方向Ｙの両方向と交差する方向に延びる幅変化領域Ｑ１，Ｑ２を有している。前側幅変化領域Ｑ１は、前側幅一定領域Ｐ１と中央幅一定領域Ｐ２との間に位置し、後側幅変化領域Ｑ２は、後側幅一定領域Ｐ３と中央幅一定領域Ｐ２との間に位置している。前側幅変化領域Ｑ１は、腹側部１Ａと股下部１Ｂとの境界近傍又は腹側部１Ａにおける該境界寄りに位置し、後側幅変化領域Ｑ２は、背側部１Ｃと股下部１Ｂとの境界近傍又は股下部１Ｂにおける該境界寄りに位置している。下層吸収性コア２３１の両側縁２３１Ｓ，２３１Ｓは、前側幅変化領域Ｑ１においては、前側幅一定領域Ｐ１と前側幅変化領域Ｑ１との境界を起点として、縦方向Ｘの内方且つ横方向Ｙの内方に斜めに延びており、また後側幅変化領域Ｑ２においては、後側幅一定領域Ｐ３と後側幅変化領域Ｑ２との境界を起点として、縦方向Ｘの内方且つ横方向Ｙの内方に斜めに延びており、何れの領域Ｑ１，Ｑ２においても平面視において直線である。下層吸収性コア２３１は吸収性コア２３の輪郭を形成しているので、下層吸収性コア２３１の両側縁２３１Ｓ，２３１Ｓは、吸収性コア２３の縦方向Ｘに沿う両側縁でもある。
【００４１】
下層吸収性コア２３１の横方向Ｙの中央部には、該下層吸収性コア２３１を厚み方向に貫通する細幅の中央開口部５が縦方向Ｘに延びるように形成されていると共に、中央開口部５の横方向Ｙの両外方に、下層吸収性コア２３１を厚み方向に貫通する一対の細幅の側方開口部６，６が、縦方向Ｘに延び且つ中央開口部５（おむつ１を横方向Ｙに二分するように縦方向Ｘに延びる横中心線Ｌｙ）を基準として対称に形成されている。これらの開口部５，６は、何れも吸収性コア形成材料が存在しない空間部であり、股下部１Ｂに配されている。これらの開口部５，６は、何れも細幅、即ち、横方向Ｙの長さ（幅）が縦方向Ｘの長さよりも短く、好ましくは、横方向Ｙの長さが縦方向Ｘの長さの５分の１以下である。中央開口部５は、横中心線Ｌｙ上を下層吸収性コア２３１の中央幅一定領域Ｐ２から後側幅変化領域Ｑ２に亘って連続的に延びており、平面視において矩形形状をなしている。一対の側方開口部６，６は、それぞれ、その全体が中央幅一定領域Ｐ２に位置し、縦方向Ｘに連続的に延びており、平面視において、下底（上底よりも長い辺）が横方向Ｙの外方側に位置する等脚台形形状をなしている。平面視等脚台形形状の側方開口部６において、外側縁６Ｓ２が該台形の下底、内側縁６Ｓ１が該台形の上底である。中央開口部５は側方開口部６よりも縦方向Ｘの長さが長く、中央開口部５の縦方向Ｘの前後端５Ｆ，５Ｒは、側方開口部６の縦方向Ｘの前後端６Ｆ，６Ｒよりも縦方向Ｘの外方に位置している。
【００４２】
一方、上層吸収性コア２３０には、平面視において下層吸収性コア２３１の中央開口部５と重なる領域に、上層吸収性コア２３０を厚み方向に貫通し縦方向Ｘに延びる開口部は形成されていない。本実施形態においては、上層吸収性コア２３０には、平面視において下層吸収性コア２３１の中央開口部５と重なる領域のみならず、該領域以外の他の領域にも、該上層吸収性コア２３０を厚み方向に貫通し縦方向Ｘに延びる開口部（吸収性コア形成材料が存在しない空間部）は形成されていない。
【００４３】
図７に示す如き平面視において、上層吸収性コア２３０と中央開口部５とが重なっていると共に、中央開口部５が上層吸収性コア２３０の縦方向Ｘの全長に亘って延びている。本実施形態においては、中央開口部５の縦方向Ｘの前端５Ｆ及び後端５Ｒの両方が、上層吸収性コア２３０の縦方向Ｘの前後端から縦方向Ｘの外方に延出しているところ、それらの延出長さは、後端５Ｒ側の方が前端５Ｆ側よりも長い。
【００４４】
このように、本実施形態のおむつ１における吸収性コア２３（下層吸収性コア２３１）は、股下部１Ｂに、１本の中央開口部５と一対の側方開口部６，６とを有しており、これら複数本の開口部が縦方向Ｘに並列している開口部並列領域Ｒ１を有している。開口部並列領域Ｒ１は、前側レッグ弾性部材３４と後側レッグ弾性部材３５とが縦方向Ｘにおいて互いに離間配置されている離間領域の縦方向Ｘの全長に亘っている。
【００４５】
本実施形態のおむつ１は、吸収性コア２３における１本の中央開口部５及び一対の側方開口部６，６と、吸収性コア２３の肌対向面側に基端部２７を有する立体ギャザー２４と、前記「おむつ１の展開且つ伸長状態における平面視において立体ギャザー形成用弾性部材２６と吸収性コア２３とが重なっている」という構成とを具備することを主たる要因として、着用時において股下部１Ｂにおける吸収性コア２３が、図８に示すように横方向Ｙに沿う断面視において、中央開口部５３が山部、側方開口部６が谷部となるように、Ｗ字状に屈曲する。尚、図８中の符号１００は、おむつ１の着用者の股間部である。また、説明容易の観点から、図８では、おむつ１の構成部材の一部（外装体３等）の図示を省略している。
【００４６】
即ち、おむつ１の装着操作において、一対のレッグ開口部レッグ開口部ＬＨ，ＬＨに着用者の両足を挿入した状態でおむつ１を着用者の股間部側に引き上げたときに、立体ギャザー形成用弾性部材２６の収縮によって、一対の立体ギャザー２４，２４が着用者の股間部に向かって起立し、それによって吸収性コア２３（下層吸収性コア２３１）の縦方向Ｘに沿う両側部が肌対向面側に折れ曲がるように立ち上がる。このとき、開口部並列領域Ｒ１では、一対の側方開口部６，６よりも横方向Ｙの外方に位置する下層吸収性コア２３１の両側部が肌対向面側に折れ曲がるように立ち上がり、その立ち上がった両側部が、一対の側方開口部６，６に挟まれた下層吸収性コア２３１の中央部を横方向Ｙに圧縮するので、下層吸収性コア２３１は、横方向Ｙの長さが短くなるいわゆる幅縮みを起こす。こうして幅縮みを起こした下層吸収性コア２３１の中央部は、中央開口部５３を有しており、また、上層吸収性コア２３０が重ね合わされている二層構造部分（中高部）の一部であるところ、その二層構造部分の下層側のみが横方向Ｙに圧縮されることで、二層構造部分の厚み方向の全体が中央開口部５にて山折りに折れ曲がり、中央開口部５が位置する二層構造部分の横方向Ｙの中央部が着用者の排泄部に向かって隆起する。その結果、開口部並列領域Ｒ１における吸収性コア２３は、図８に示すように横方向Ｙに沿う断面視において、中央開口部５３が山部、側方開口部６が谷部となるように、Ｗ字状に屈曲する。
【００４７】
特に、本実施形態における上層吸収性コア２３０には、該上層吸収性コア２３１を厚み方向に貫通し縦方向Ｘに延びる開口部が形成されていないため、前述した、上層吸収性コア２３０と下層吸収性コア２３１との二層構造部分が中央開口部５で山折りに折れ曲がりやすく、そのため、吸収性コア２３のＷ字状の屈曲変形が起こりやすく、また、その変形形状が維持されやすくなっている。特に、上層吸収性コア２３０における中央開口部５と重なる領域に前記開口部が形成されていると、吸収性コア２３の二層構造部分が谷折りに折れ曲がるおそれがあり、おむつ１を、着用感及び漏れ防止性の向上の点で理想的な形状に装着できないおそれがある。
【００４８】
吸収性コア２３の二層構造部分（中高部）の山折りを誘導してＷ字状の変形を起こりやすくする観点から、平面視において、中央開口部５と外装体３における横方向Ｙに伸縮性を有する部分とが重なっていることが好ましい。前述したように本実施形態においては、外装体３において横方向Ｙに伸縮性を有している部分は、腹側外層シート３１Ａ又は背側外層シート３１Ｃが配されている部分であるから、平面視において中央開口部５は、両シート３１Ａ，３１Ｃの配置領域とが重なっていることが好ましく、特に、腹側部１Ａ及び／又は背側部１Ｃと重なっていることが好ましい。
【００４９】
吸収性コア２３のＷ字状の変形は、おむつ１の装着操作中に起こり、着用者の股間部に装着された後もその変形形状は維持される。おむつ１の股下部１Ｂにおいて吸収性コア２３がＷ字状に屈曲することにより、吸収性コア２３が、着用者の大腿部より加えられる圧力に対して柔軟に変形するので、着用者の足に加わる圧力やそれによる抵抗感や違和感等が軽減され、良好な着用感が得られる。特に、吸収性本体２の縦方向Ｘに沿う両側部は、おむつ１の着用者の大腿部と接触しやすく、着用感に大きな影響を及ぼす部位であるところ、吸収性本体２の両側部は、上層吸収性コア２３０を含んでおらず厚みが比較的薄いため、着用者に着用違和感等を与えにくく、おむつ１のはき心地が向上されている。また、吸収性コア２３の両側部（一対の側方開口部６，６よりも横方向Ｙの外方に位置する部分）が起立してその端部が着用者の肌、好ましくはそけい部に沿って位置することにより、一対の立体ギャザー２４，２４が着用者のそけい部に沿うようにフィットするので、良好な漏れ防止性も得られる。要するに、本実施形態のおむつ１は、常法に従って人の股間部に装着するだけで、吸収性コア２３がＷ字状に屈曲変形し、それによって、前記中高部を含む、股下部１Ｂの横方向Ｙの中央部が、着用者の排泄部に対して隙間や皴無く密着すると共に、一対の立体ギャザー２４，２４が着用者のそけい部に沿うようにフィットするので、股間部へのあて易さと、良好な着用感及び安定した吸収性能（漏れ防止性能）との両立が可能である。
【００５０】
また本実施形態においては、図２、図３及び図７に示すように、平面視において上層吸収性コア２３０と一対の側方開口部６，６とが重なっておらず、自ずと、上層吸収性コア２３０と両側方開口部６，６よりも横方向Ｙの外方に位置する下層吸収性コア２３１の両側部とが重なっていないため、該両側部が立ち上がりやすく、前述した開口部並列領域Ｒ１等による作用効果がより一層確実に奏される。
【００５１】
また本実施形態においては、図２、図３及び図７に示すように、中央開口部５が側方開口部６よりも縦方向Ｘの長さが長いため、中央開口部５及び側方開口部６が併存する開口部並列領域Ｒ１のみならず、中央開口部５のみが存する領域においても、吸収性コア２３の二層構造部分（横方向Ｙの中央部）が山折りに折れ曲がって変形する。特に本実施形態における中央開口部５は、上層吸収性コア２３０の縦方向Ｘの後端から縦方向Ｘの外方に延出しており、その延出部の後端５Ｒが、側方開口部６の後端６Ｒよりも縦方向Ｘの後方に位置しているため、山折りされた吸収性コア２３の横方向Ｙの中央部が、着用者の股下部から臀裂に沿って位置する。そのため、おむつ１は、着用者の股間部の形状に合わせて変形しやすく、高いフィット性を発現し得る。
【００５２】
尚、「中央開口部５が側方開口部６よりも縦方向Ｘの長さが長いこと」によって奏される、フィット性の向上効果は、「下層吸収性コア２３１が平面視砂時計状（ダンベル状）をなしていること」、即ち、「縦方向Ｘの中央部が前後端部（縦方向両端部）それぞれよりも横方向Ｙの長さが短いこと」によっても奏される。従って、これら両構成を備えた本実施形態のおむつ１はフィット性に優れる。また、下層吸収性コア２３１が平面視砂時計状をなしていると、おむつ１の装着操作中に吸収性コア２３のヨレ（意図しない変形）が起こり難いという効果も奏される。
【００５３】
中央開口部５の縦方向Ｘの長さと側方開口部６の縦方向Ｘの長さとの比（中央開口部５の縦方向長さ／側方開口部６の縦方向長さ）は、好ましくは１．０１以上、さらに好ましくは１．２以上、そして、好ましくは１．５以下、さらに好ましくは１．４以下、より具体的には、好ましくは１．０１以上１．５以下、さらに好ましくは１．２以上１．４以下である。
中央開口部５の縦方向Ｘの長さは、好ましくは２００ｍｍ以上、さらに好ましくは２５０ｍｍ以上、そして、好ましくは４００ｍｍ以下、さらに好ましくは３７５ｍｍ以下、より具体的には、好ましくは２００ｍｍ以上４００ｍｍ以下、さらに好ましくは２５０ｍｍ以上３７５ｍｍ以下である。
側方開口部６の縦方向Ｘの長さは、好ましくは１７５ｍｍ以上、さらに好ましくは２００ｍｍ以上、そして、好ましくは３５０ｍｍ以下、さらに好ましくは３２５ｍｍ以下、より具体的には、好ましくは１７５ｍｍ以上３５０ｍｍ以下、さらに好ましくは２００ｍｍ以上３２５ｍｍ以下である。
尚、本実施形態における側方開口部６のように、開口部の縦方向Ｘの長さが一定ではなく、開口部が複数の縦方向長さを有している場合は、その複数の縦方向長さのうちの最大値を、当該開口部の縦方向長さとする。
【００５４】
また、中央開口部５及び側方開口部６それぞれの横方向Ｙの長さ（幅）は、好ましくは５ｍｍ以上、さらに好ましくは７．５ｍｍ以上、そして、好ましくは２０ｍｍ以下、さらに好ましくは１５ｍｍ以下、より具体的には、好ましくは５ｍｍ以上２０ｍｍ以下、さらに好ましくは７．５ｍｍ以上１５ｍｍ以下である。中央開口部５と側方開口部６とで横方向Ｙの長さが同じでも良く、異なっていても良い。本実施形態においては、両開口部５，６の横方向Ｙの長さは同じである。
【００５５】
おむつ１の着用中において、股下部１Ｂにおける吸収性コア２３の開口部並列領域Ｒ１の横方向Ｙの中央部、即ち、吸収性コア２３の二層構造部分が存する部分（中高部）と、着用者の身体（排泄部）との密着性を高める観点から、横中心線Ｌｙを基準として下層吸収性コア２３１の横方向Ｙの一方側及び他方側それぞれにおいて、下層吸収性コア２３１の側縁２３１Ｓと側方開口部６との離間距離Ｗ１（図７参照）よりも、側方開口部６と中央開口部５との離間距離Ｗ２（図７参照）の方が長いことが好ましい。離間距離Ｗ２が離間距離Ｗ１よりも短いと、吸収性コア２３がＷ字状に変形した場合に、前記中高部と着用者の身体との間に空間が形成され、密着性が低下するおそれがある。
【００５６】
離間距離Ｗ１と離間距離Ｗ２との比（離間距離Ｗ１／離間距離Ｗ２）は、好ましくは０．４以上、さらに好ましくは０．５以上、そして、好ましくは０．８以下、さらに好ましくは０．７以下、より具体的には、好ましくは０．４以上０．８以下、さらに好ましくは０．５以上０．７以下である。
離間距離Ｗ１は、好ましくは１０ｍｍ以上、さらに好ましくは１２．５ｍｍ以上、そして、好ましくは３０ｍｍ以下、さらに好ましくは２７．５ｍｍ以下、より具体的には、好ましくは１０ｍｍ以上３０ｍｍ以下、さらに好ましくは１２．５ｍｍ以上２７．５ｍｍ以下である。
離間距離Ｗ２は、好ましくは２０ｍｍ以上、さらに好ましくは２５ｍｍ以上、そして、好ましくは５０ｍｍ以下、さらに好ましくは４５ｍｍ以下、より具体的には、好ましくは２０ｍｍ以上５０ｍｍ以下、さらに好ましくは２５ｍｍ以上４５ｍｍ以下である。
【００５７】
本実施形態における吸収性コア２３は、図２、図３及び図７に示すように、吸収性コア２３の縦方向Ｘの前後端、即ち、下層吸収性コア２３１の縦方向Ｘの前後端それぞれから縦方向Ｘの内方に向かって切れ込んだ一対の切り欠き部７，７を有している。切り欠き部７は、縦方向Ｘの内方に向かうに従って横方向Ｙの長さ（幅）が減少している。一対の切り欠き部７，７の一方と他方とは、平面視において同形状・同寸法である。本実施形態における切り欠き部７は、平面視Ｖ字状をなし、縦方向Ｘの内方に向かうに従って幅が漸次減少している。切り欠き部７の頂部（Ｖ字の頂部）は、中央開口部５の延長線（横中心線Ｌｙ）上に位置している。吸収性コア２３の縦方向Ｘの前後端に切り欠き部７が形成されていることにより、おむつ１の着用時に吸収性コア２３の二層構造部分（横方向Ｙの中央部）が山折りに折れ曲がりやすくなるため、吸収性コア２３がＷ字状に変形しやすくなると共に、一対の切り欠き部７，７それぞれの横方向Ｙの両外方に位置する部分、即ち、吸収性コア２３の角部が肌対向面側に折れ曲がりやすくなるため、吸収性コア２３が着用者の身体に沿いやすい舟形形状に変形しやすくなり、結果としてフィット性が向上し得る。
【００５８】
本実施形態においては、切り欠き部７以外にも、おむつ１の着用時における吸収性コア２３の舟形形状への変形を誘導し得る構成を採用している。即ち、本実施形態においては、図７に示すように、一対の側方開口部６，６は、それぞれ、内側縁６Ｓ１よりも外側縁６Ｓ２の方が縦方向Ｘの長さが長く、平面視において内側縁６Ｓ１を上底、外側縁６Ｓ２を下底とする等脚台形形状をなしており、縦方向Ｘの前後端６Ｆ，６Ｒが、それぞれ、外側縁６Ｓ２の長手方向の端部を起点として、縦方向Ｘの内方且つ横方向Ｙの内方に斜めに延びている。そして、本実施形態においては、横中心線Ｌｙを基準として吸収性コア２３の横方向Ｙの一方側及び他方側それぞれにおいて、側方開口部６の縦方向Ｘの前後端６Ｆ，６Ｒは、それぞれ、幅変化領域Ｑ１，Ｑ２における下層吸収性コア２３１（吸収性コア２３）の側縁２３１Ｓの延長線上に位置している。斯かる構成により、おむつ１の着用時において吸収性コア２３の角部が肌対向面側により一層折れ曲がりやすくなるため、吸収性コア２３が舟形形状をとりやすくなる。
【００５９】
また、吸収性コア２３の舟形形状への変形を起こりやすくする観点から、図２に示す如き、おむつ１の展開且つ伸長状態における平面視において、立体ギャザー形成用弾性部材２６は、下層吸収性コア２３１（吸収性コア２３）の縦方向Ｘの中央部の中央幅一定領域Ｐ２における側縁２３１Ｓよりも横方向Ｙの外方、且つ、下層吸収性コア２３１（吸収性コア２３）の縦方向Ｘの前後端部の幅一定領域Ｐ１，Ｐ３のうち、より横方向Ｙの長さが長い方（側縁２３１Ｓの位置が横中心線Ｌｙから遠い方）における側縁２３１Ｓよりも横方向Ｙの内方に位置していることが好ましい。図７中の符号Ｒ２で示した領域が、これに相当する。おむつ１の展開且つ伸長状態における平面視において、立体ギャザー形成用弾性部材２６がこの領域Ｒ２に位置していることにより、おむつ１の着用時において吸収性コア２３の舟形形状が促進され、フィット性が向上し得る。
【００６０】
以上、本発明をその好ましい実施形態に基づき説明したが、本発明は前記実施形態に制限されない。例えば前記実施形態においては、外層シート３１は複数枚のシートが組み合わされて構成されていたが、内層シート３２と同様に１枚の連続したシートから構成されていても良い。また、外装体３は、腹側部に位置する外装体腹側領域及び背側部に位置する外装体背側領域とに分割されており、吸収性本体２は、前記外装体腹側領域及び前記外装体背側領域に架け渡して固定されていても良い。
また、本発明の吸収性物品は、パンツ型使い捨ておむつに制限されず、人体から排出される液の吸収に用いられる物品を広く包含し、展開型使い捨ておむつ、生理用ナプキン、生理用ショーツ等も包含される。前述した本発明の実施形態に関し、更に以下の付記を開示する。
【００６１】
＜１＞
液保持性の吸収性コアを備え、着用者の腹側に配される腹側部及び背側に配される背側部とそれらの間に位置する股下部とを有すると共に、該腹側部から該股下部を介して該背側部に延びる縦方向とこれに直交する横方向とを有する吸収性物品であって、
前記吸収性コアは、上層吸収性コアと該上層吸収性コアの非肌対向面側に配される下層吸収性コアとからなる二層構造を含んで構成され、
前記下層吸収性コアの横方向中央部に、該下層吸収性コアを厚み方向に貫通する細幅の中央開口部が縦方向に延びるように形成されていると共に、該中央開口部の横方向の両外方に、該下層吸収性コアを厚み方向に貫通する一対の細幅の側方開口部が、縦方向に延び且つ該中央開口部を基準として対称に形成されており、
平面視において前記上層吸収性コアと前記中央開口部とが重なっていると共に、該中央開口部が該上層吸収性コアの縦方向の全長に亘って延びており、
前記上層吸収性コアには、平面視において前記下層吸収性コアの前記中央開口部と重なる領域に、該上層吸収性コアを厚み方向に貫通し縦方向に延びる開口部は形成されておらず、
前記吸収性コアの縦方向に沿う左右両側部の肌対向面側に、着用時に着用者の肌側に向かって起立する一対の立体ギャザーが設けられており、該立体ギャザーは、該吸収性コアの肌対向面側に基端部を有し着用者の肌側に自由端をなすように起立し、該自由端に立体ギャザー形成用弾性部材が縦方向に伸長状態で配されており、
前記吸収性物品の展開且つ伸長状態における平面視において、前記立体ギャザー形成用弾性部材と前記吸収性コアとが重なっている吸収性物品。
【００６２】
＜２＞
平面視において前記上層吸収性コアと前記側方開口部とが重なっていない前記＜１＞に記載の吸収性物品。
＜３＞
前記中央開口部は前記側方開口部よりも縦方向の長さが長い前記＜１＞又は＜２＞に記載の吸収性物品。
＜４＞
前記下層吸収性コアの横方向一方側及び他方側それぞれにおいて、該下層吸収性コアの縦方向に沿う側縁と前記側方開口部との離間距離よりも、該側方開口部と前記中央開口部との離間距離の方が長い前記＜１＞〜＜３＞の何れか一項に記載の吸収性物品。
＜５＞
前記下層吸収性コアは、縦方向中央部が縦方向前後端部それぞれよりも横方向の長さが短い前記＜１＞〜＜４＞の何れか一項に記載の吸収性物品。
【００６３】
＜６＞
前記吸収性コアは、該吸収性コアの縦方向前後端それぞれから縦方向内方に向かって切れ込んだ一対の切り欠き部を有し、
前記切り欠き部は、縦方向内方に向かうに従って横方向の長さが減少し、平面視において、該切り欠き部の頂部が前記中央開口部の延長線上に位置している前記＜１＞〜＜５＞の何れか一項に記載の吸収性物品。
＜７＞
前記下層吸収性コアは、縦方向前端部、中央部及び後端部それぞれに、該下層吸収性コアの両側縁が縦方向と平行に延びる幅一定領域を有していると共に、該縦方向中央部の幅一定領域と該縦方向前後端部の幅一定領域それぞれとの間に、該下層吸収性コアの両側縁が縦方向及び横方向の両方向と交差する方向に延びる幅変化領域を有しており、
前記側方開口部は、内側縁よりも外側縁の方が縦方向の長さが長く、
前記下層吸収性コアの横方向一方側及び他方側それぞれにおいて、前記側方開口部の縦方向前後端は、それぞれ、前記幅変化領域における該下層吸収性コアの側縁の延長線上に位置している前記＜１＞〜＜６＞の何れか一項に記載の吸収性物品。
＜８＞
前記吸収性物品の展開且つ伸長状態における平面視において、前記立体ギャザー形成用弾性部材は、前記吸収性コアの縦方向中央部の幅一定領域における側縁よりも横方向外方、且つ、該吸収性コアの縦方向前後端部の幅一定領域のうち、より横方向の長さが長い方における側縁よりも横方向内方に位置している前記＜７＞に記載の吸収性物品。
【００６４】
＜９＞
前記中央開口部の縦方向の後端が、前記上層吸収性コアの縦方向の後端から縦方向外方に延出している前記＜１＞〜＜８＞の何れか一項に記載の吸収性物品。
＜１０＞
前記中央開口部の縦方向の前端及び後端の両方が、前記上層吸収性コアの縦方向の前後端から縦方向外方に延出しており、それらの延出長さは、後端側の方が前端側よりも長い前記＜１＞〜＜８＞の何れか一項に記載の吸収性物品。
＜１１＞
前記股下部に、前記中央開口部と前記一対の側方開口部とが縦方向に並列している開口部並列領域を有している前記＜１＞〜＜１０＞の何れか一項に記載の吸収性物品。
＜１２＞
前記中央開口部の縦方向の後端が、前記上層吸収性コアの縦方向の後端から縦方向外方に延出した延出部を有し、該延出部の後端が、前記側方開口部の後端よりも縦方向の後方に位置している前記＜１＞〜＜１１＞の何れか一項に記載の吸収性物品。
【００６５】
＜１３＞
前記下層吸収性コアは、縦方向の中央部が前後端部（縦方向両端部）それぞれよりも横方向の長さが短い前記＜１＞〜＜１２＞の何れか一項に記載の吸収性物品。
＜１４＞
前記上層吸収性コアは、平面視において、縦方向の前側（前記腹側部寄りの部分）が他の部分よりも幅広の縦長形状をなしている前記＜１＞〜＜１３＞の何れか一項に記載の吸収性物品。
＜１５＞
前記上層吸収性コアは、前記下層吸収性コアの肌対向面上において、該下層吸収性コアの縦方向の中央よりもやや前記腹側部寄りに偏倚した位置にある前記＜１＞〜＜１４＞の何れか一項に記載の吸収性物品。
【００６６】
＜１６＞
前記吸収性コアを具備する吸収性本体と、該吸収性本体の非肌対向面側に配されて該吸収性本体を固定している外装体とを備える前記＜１＞〜＜１５＞の何れか一項に記載の吸収性物品。
＜１７＞
前記外装体は横方向に伸縮性を有する部分を備える前記＜１６＞に記載の吸収性物品。
＜１８＞
前記平面視において、前記中央開口部と前記外装体における横方向に伸縮性を有する部分とが重なっている前記＜１７＞に記載の吸収性物品。
＜１９＞
前記吸収性物品はパンツ型使い捨ておむつである前記＜１６＞〜＜１８＞の何れか一項に記載の吸収性物品。
＜２０＞
前記吸収性本体は、肌対向面を形成する表面シート、非肌対向面を形成する裏面シート、及び両シート間に介在配置された前記吸収性コアを有する前記＜１６＞〜＜１９＞の何れか一項に記載の吸収性物品。
【００６７】
＜２１＞
前記外装体は、外層シートと内層シートとの積層体を含んで構成されている前記＜１６＞〜＜２０＞の何れか一項に記載の吸収性物品。
＜２２＞
前記外層シートは、前記腹側部を構成する腹側外層シートと、前記背側部を構成する背側外層シートと、これら両シート間に位置して前記股下部を構成する股下外層シートとを含んで構成されている前記＜２１＞に記載の吸収性物品。
＜２３＞
前記腹側外層シート及び前記背側外層シートは横方向に伸縮性を有している前記＜２２＞に記載の吸収性物品。
＜２４＞
前記股下外層シート及び前記内層シートは伸縮性を有しておらず非伸縮性である前記＜２２＞又は＜２３＞に記載の吸収性物品。
＜２５＞
前記腹側外層シート及び前記背側外層シートは、非弾性繊維を主体とする伸長可能な繊維層の一面に糸状の弾性フィラメントが接合した構成を有する前記＜２２＞〜＜２４＞の何れか一項に記載の吸収性物品。
＜２６＞
平面視において前記中央開口部は、前記腹側外層シート及び前記背側外層シートの何れか一方の配置領域と重なっている前記＜２２＞〜＜２５＞の何れか一項に記載の吸収性物品。
【００６８】
＜２７＞
前記吸収性コアの表面はコアラップシートによって被覆されている前記＜１＞〜＜２６＞の何れか一項に記載の吸収性物品。
＜２８＞
前記上層吸収性コアの坪量は、好ましくは１５０ｇ／ｃｍ２以上、さらに好ましくは２００ｇ／ｃｍ２以上、そして、好ましくは４００ｇ／ｃｍ２以下、さらに好ましくは３５０ｇ／ｃｍ２以下、より具体的には、好ましくは１５０ｇ／ｃｍ２以上４００ｇ／ｃｍ２以下、さらに好ましくは２００ｇ／ｃｍ２以上３５０ｇ／ｃｍ２以下である前記＜１＞〜＜２７＞の何れか一項に記載の吸収性物品。
＜２９＞
前記下層吸収性コアの坪量は、好ましくは１５０ｇ／ｃｍ２以上、さらに好ましくは２００ｇ／ｃｍ２以上、そして、好ましくは４００ｇ／ｃｍ２以下、さらに好ましくは３５０ｇ／ｃｍ２以下、より具体的には、好ましくは１５０ｇ／ｃｍ２以上４００ｇ／ｃｍ２以下、さらに好ましくは２００ｇ／ｃｍ２以上３５０ｇ／ｃｍ２以下である前記＜１＞〜＜２８＞の何れか一項に記載の吸収性物品。
【００６９】
＜３０＞
前記中央開口部の縦方向長さと前記側方開口部の縦方向長さとの比である、中央開口部の縦方向長さ／側方開口部の縦方向長さは、好ましくは１．０１以上、さらに好ましくは１．２以上、そして、好ましくは１．５以下、さらに好ましくは１．４以下、より具体的には、好ましくは１．０１以上１．５以下、さらに好ましくは１．２以上１．４以下である前記＜１＞〜＜２９＞の何れか一項に記載の吸収性物品。
＜３１＞
前記中央開口部の縦方向長さは、好ましくは２００ｍｍ以上、さらに好ましくは２５０ｍｍ以上、そして、好ましくは４００ｍｍ以下、さらに好ましくは３７５ｍｍ以下、より具体的には、好ましくは２００ｍｍ以上４００ｍｍ以下、さらに好ましくは２５０ｍｍ以上３７５ｍｍ以下である前記＜１＞〜＜３０＞の何れか一項に記載の吸収性物品。
＜３２＞
前記側方開口部の縦方向長さは、好ましくは１７５ｍｍ以上、さらに好ましくは２００ｍｍ以上、そして、好ましくは３５０ｍｍ以下、さらに好ましくは３２５ｍｍ以下、より具体的には、好ましくは１７５ｍｍ以上３５０ｍｍ以下、さらに好ましくは２００ｍｍ以上３２５ｍｍ以下である前記＜１＞〜＜３１＞の何れか一項に記載の吸収性物品。
＜３３＞
前記中央開口部及び前記側方開口部それぞれの横方向長さは、好ましくは５ｍｍ以上、さらに好ましくは７．５ｍｍ以上、そして、好ましくは２０ｍｍ以下、さらに好ましくは１５ｍｍ以下、より具体的には、好ましくは５ｍｍ以上２０ｍｍ以下、さらに好ましくは７．５ｍｍ以上１５ｍｍ以下である前記＜１＞〜＜３２＞の何れか一項に記載の吸収性物品。
【００７０】
＜３４＞
前記下層吸収性コアの縦方向に沿う側縁と前記側方開口部との離間距離Ｗ１と、該側方開口部と前記中央開口部との離間距離Ｗ２との比である、離間距離Ｗ１／離間距離Ｗ２は、好ましくは０．４以上、さらに好ましくは０．５以上、そして、好ましくは０．８以下、さらに好ましくは０．７以下、より具体的には、好ましくは０．４以上０．８以下、さらに好ましくは０．５以上０．７以下である前記＜１＞〜＜３３＞の何れか一項に記載の吸収性物品。
＜３５＞
前記離間距離Ｗ１は、好ましくは１０ｍｍ以上、さらに好ましくは１２．５ｍｍ以上、そして、好ましくは３０ｍｍ以下、さらに好ましくは２７．５ｍｍ以下、より具体的には、好ましくは１０ｍｍ以上３０ｍｍ以下、さらに好ましくは１２．５ｍｍ以上２７．５ｍｍ以下である前記＜３４＞に記載の吸収性物品。
＜３６＞
前記離間距離Ｗ２は、好ましくは２０ｍｍ以上、さらに好ましくは２５ｍｍ以上、そして、好ましくは５０ｍｍ以下、さらに好ましくは４５ｍｍ以下、より具体的には、好ましくは２０ｍｍ以上５０ｍｍ以下、さらに好ましくは２５ｍｍ以上４５ｍｍ以下である前記＜３４＞又は＜３５＞に記載の吸収性物品。
＜３７＞
中央開口部は、横方向長さが縦方向長さよりも短く、好ましくは、横方向長さが縦方向長さの５分の１以下である前記＜１＞〜＜３６＞の何れか一項に記載の吸収性物品。
＜３８＞
側方開口部は、横方向長さが縦方向長さよりも短く、好ましくは、横方向長さが縦方向長さの５分の１以下である前記＜１＞〜＜３７＞の何れか一項に記載の吸収性物品。
【実施例】
【００７１】
以下、本発明を実施例により更に具体的に説明するが、本発明は斯かる実施例に限定されるものではない。
【００７２】
〔実施例１〕
常法に従い、図１〜図５に示すおむつ１と同様の基本構成を有するパンツ型使い捨ておむつを作製した。表面シート２１として、坪量２５ｇ／ｍ２のＳＣ２５０Ｒ（レンゴー・ノンウーブン・プロダクツ株式会社製）を用い、裏面シート２２として、坪量２０ｇ／ｍ２のＣ３Ｙ６０２０Ａ５Ａ（三菱樹脂株式会社製）を用い、外装体として、市販のパンツ型使い捨ておむつ（花王株式会社製、商品名「リリーフはつらつパンツ  安心のうす型」）の外装体を用いた。吸収性コア形成材料として、パルプ繊維及び吸水性ポリマー粒子を用い、常法に従ってこれらを混合積繊させて上層吸収性コア２３０及び下層吸収性コア２３１を得た。下層吸収性コア２３１の製造工程における吸収性コア形成材料の積繊の際に、吸収性コア形成材料の非積繊部を形成し、該非積繊部からなる中央開口部５及び側方開口部６を下層吸収性コア２３１に形成した。両吸収性コア２３０，２３１を積層して図７に示す二層構造の吸収性コア２３を得、これを坪量１６ｇ／ｍ２の親水性且つ透液性の紙からなるコアラップシートで被覆して、吸収体を作製した。
【００７３】
実施例１で用いた吸収性コアの寸法は、下層吸収性コアの縦方向長さが５２０ｍｍ、下層吸収性コアの最大幅が１８０ｍｍ、下層吸収性コアの最小幅が１４０ｍｍ、下層吸収性コアの厚みが２．２ｍｍ、上層吸収性コアの縦方向長さが２３０ｍｍ、上層吸収性コアの最大幅が６４ｍｍ、上層吸収性コアの最小幅が５０ｍｍ、上層吸収性コアの厚みが２．１ｍｍであった。また、下層吸収性コアにおいて、中央開口部の縦方向長さが３４０ｍｍ、中央開口部の幅が１０ｍｍ、側方開口部の縦方向長さが２６５ｍｍ、側方開口部の幅が１０ｍｍであった。また、下層吸収性コアの側縁と側方開口部との離間距離Ｗ１が２０ｍｍ、側方開口部と中央開口部との離間距離Ｗ２が３５ｍｍであった。
【００７４】
〔比較例１〕
吸収性コアとして、図９（ａ）に示す単層構造の吸収性コア９０を用いた以外は、実施例１と同様にしてパンツ型使い捨ておむつを作製した。吸収性コア９０は、平面視砂時計状（ダンベル状）の中央吸収部９１と、該中央吸収部９１の括れ部の横方向Ｙの外方に位置して縦方向Ｘに延びる一対の側方吸収部９２，９２とからなり、中央吸収部９１と一対の側方吸収部９２，９２それぞれとの間には、吸収性コア形成材料が存在しない空間部（切離部）９３が介在されている。空間部９３は、機能的には開口部と同じである。中央吸収部９１の縦方向Ｘの前後端には、平面視Ｖ字状の一対の切り欠き部が形成されている。
比較例１で用いた吸収性コア９０の寸法は、中央吸収部９１の縦方向長さが５８０ｍｍ、中央吸収部９１の最大幅が１８０ｍｍ、中央吸収部９１の最小幅が１４０ｍｍ、中央吸収部９１の厚みが２．２ｍｍ、側方吸収部９２の縦方向長さが３１０ｍｍ、側方吸収部９２の幅が３３ｍｍ、側方吸収部９２の厚みが２．２ｍｍ、空間部９３の幅（中央吸収部９１と側方吸収部９２との離間距離）が１５ｍｍであった。
【００７５】
〔比較例２〕
吸収性コアとして、図９（ｂ）に示す平面視砂時計状（ダンベル状）の単層構造の吸収性コア９５を用いた以外は、実施例１と同様にしてパンツ型使い捨ておむつを作製した。吸収性コア９５には開口部は形成されていない。
比較例２で用いた吸収性コア９５の寸法は、縦方向長さが４６０ｍｍ、最大幅が２００ｍｍ、最小幅が１２０ｍｍ、厚みが６．５ｍｍであった。
【００７６】
実施例及び比較例のパンツ型使い捨ておむつについて、液吸収量及び着用感を下記方法により評価した。その結果を下記表１に示す。
【００７７】
＜液吸収量の評価方法＞
排泄点からおむつへ液を注入できる大人用モデルを用い、該モデルを直立させた状態で評価対象のパンツ型使い捨ておむつを装着させた後、該モデルを横向き９０度にした。次いで、速度調整機能付き液体排出ポンプを用いて、排泄点より生理食塩水を速度５ｇ／ｓｅｃで１００ｇ注入した。１０分静置後、漏れがあるかどうかを目視で確認し、漏れがなければ同様に排泄点より生理食塩水１００ｇを速度５ｇ／ｓｅｃで繰り返し注入した。漏れが生じた時点で生理食塩水の注入を止め、注入前後のおむつの重さの差を液吸収量とした。この液吸収量の測定値が大きいほど、吸収性能が高く、漏れ防止性に優れると評価できる。
【００７８】
＜着用感の評価方法＞
被験者５人に対して、実施例及び比較例のパンツ型使い捨ておむつを装着後、手直しせずそのままの状態において装着感を評価した。装着後、被験者に２時間のデスクワークを実施してもらい、その際のおむつの装着感を５段階で評価してもらった。５段階の評価は、「良い：５点、やや良い：４点、どちらでもない：３点、やや悪い：２点、悪い：１点  」とし、平均点４点以上を◎、３点以上を○、２点以上を△、２点未満を×として評価した。
【００７９】
【表１】
0006386883.tif 000002
【符号の説明】
【００８０】
１  パンツ型使い捨ておむつ（吸収性物品）
２  吸収性本体
２１  表面シート
２２  裏面シート
２３  吸収性コア
２３０  上層吸収性コア
２３１  下層吸収性コア
２３１Ｓ  下層吸収性コア（吸収性コア）の側縁
Ｐ１，Ｐ２，Ｐ３  下層吸収性コアの幅一定領域
Ｑ１，Ｑ２  下層吸収性コアの幅変化領域
２４  立体ギャザー
２６  立体ギャザー形成用弾性部材
２７  立体ギャザーの基端部
３  外装体
３１  外層シート
３１Ａ  腹側外層シート（伸縮性シート）
３１Ｂ  股下外層シート（非伸縮性シート）
３１Ｃ  背側外層シート（伸縮性シート）
３２  内層シート（非伸縮性シート）
３３  ウエスト弾性部材
３４  前側レッグ弾性部材
３５  後側レッグ弾性部材
５  中央開口部
６  側方開口部
７  切り欠き部
Ｆ  前身頃
Ｒ  後身頃
１Ａ  腹側部（前身頃の胴回り部）
１Ｂ  股下部
１Ｃ  背側部（後身頃の胴回り部）
Ｘ  縦方向
Ｙ  横方向
【図１】
0006386883.tif 000003
【図２】
0006386883.tif 000004
【図３】
0006386883.tif 000005
【図４】
0006386883.tif 000006
【図５】
0006386883.tif 000007
【図６】
0006386883.tif 000008
【図７】
0006386883.tif 000009
【図８】
0006386883.tif 000010
【図９】
0006386883.tif 000011